(57)【特許請求の範囲】
【請求項１】
頂板部及び頂板部から垂下するスカート部から成り、該頂板部にはスコアで区画された開口予定部が形成され、該スコアを取り囲むように注出用ノズルが形成されていると共に、スカート部内面に螺子部を有するキャップ本体、天面及び天面から垂下する側壁から成り、該天面の内面側にリシール用環状突起が形成され、キャップ本体の頂板部を覆うようにキャップ本体頂板部にヒンジ連結された上蓋から成るヒンジキャップにおいて、
前記上蓋のリシール用環状突起の内側には、開栓後取り除かれた開口予定部を保持するための保持部が形成され、該保持部の内周面が開口予定部の外縁形状に対応した形状の少なくとも一部を形成していることを特徴とするヒンジキャップ。
【請求項２】
前記保持部が、リシール用環状突起と該リシール用環状突起の内側に設けられた保持用突条により形成されている請求項１記載のヒンジキャップ。
【請求項３】
前記キャップ本体が、頂板部及びスカート部から成り、該頂板部には開口が形成され、該開口を取り囲むように注出用ノズルが形成されていると共に、スカート部内面に螺子部を有するキャップ固定部と、容器口部先端及びキャップ固定部の頂板部内面の間に位置し、キャップ固定部の頂板部の開口に対応する位置に開口予定部が形成されて成る中栓から成るツーピース構造を有するものである請求項１又は２記載のヒンジキャップ。
【発明の詳細な説明】
【技術分野】
【０００１】
本発明は、ヒンジキャップに関し、より詳細には、スコアを破断して注出用開口を形成する際に生じた、キャップから取り除かれた開口予定部をキャップ内に収納可能なヒンジキャップに関する。
【背景技術】
【０００２】
容器口部に適用されるキャップとして、従来より容器口部に固定されるキャップ本体、及びキャップ本体にヒンジ連結され、キャップ本体頂板部に形成される注出用開口を覆う上蓋から成るヒンジキャップが広く使用されている。
かかるヒンジキャップは、注出用開口を覆う上蓋がキャップ本体に一体的に連結されているため、上蓋が容器口部から離脱することがなく、上蓋を紛失したり、落として汚したりすることがないため、飲料を内容物とする小型のペットボトル等の容器に用いることが提案されている（特許文献１）
【０００３】
【特許文献１】特開２００３−１６５５５９号公報
【発明の開示】
【発明が解決しようとする課題】
【０００４】
しかしながら、内容物の使用を開始する際に消費者が、キャップ本体頂板部に形成されたスコアで区画された開口予定部を取り除くことにより注出用開口を形成するタイプのヒンジキャップにおいては、内容物が調味料等のような場合には、主として家の中等でスコアを破断して注出用開口を形成することが多く、取り除かれた開口予定部は、ごみ箱に廃棄することも容易であるが、内容物が飲料の場合には、ごみ箱がある場所以外でも注出用開口の形成を行う場合もあり、このような場合に、取り除かれた開口予定部を持ち歩くことは煩雑或いは不便であり、取り除かれた開口予定部をごみ箱以外に廃棄してしまうおそれも生じてしまう。
【０００５】
従って本発明の目的は、キャップ本体頂板部に注出用開口を形成する際に生じる、取り除かれた開口予定部をキャップ内に収納可能で、ごみ箱がない場所で注出用開口を形成した場合にも、取り除かれた開口予定部を別途持ち歩く必要がなく、取り除かれた開口予定部を不当に廃棄してしまうことが有効に予防されたヒンジキャップを提供することである。
【課題を解決するための手段】
【０００６】
本発明によれば、頂板部及び頂板部から垂下するスカート部から成り、該頂板部にはスコアで区画された開口予定部が形成され、該スコアを取り囲むように注出用ノズルが形成されていると共に、スカート部内面に螺子部を有するキャップ本体、天面及び天面から垂下する側壁から成り、該天面の内面側にリシール用環状突起が形成され、キャップ本体の頂板部を覆うようにキャップ本体頂板部にヒンジ連結された上蓋から成るヒンジキャップにおいて、前記上蓋のリシール用環状突起の内側には、開栓後取り除かれた開口予定部を保持するための保持部が形成され、該保持部の内周面が開口予定部の外縁形状に対応した形状の少なくとも一部を形成していることを特徴とするヒンジキャップが提供される。
【０００７】
本発明のヒンジキャップによれば、
１．保持部が、リシール用環状突起とリシール用環状突起の内側に設けられた保持用突条により形成されていること、
２．キャップ本体が、頂板部及びスカート部から成り、該頂板部には開口が形成され、該開口を取り囲むように注出用ノズルが形成されていると共に、スカート部内面に螺子部を有するキャップ固定部と、容器口部先端及びキャップ固定部の頂板部内面の間に位置し、キャップ固定部の頂板部の開口に対応する位置に開口予定部が形成されて成る中栓から成るツーピース構造を有するものであること、
が好適である。
【発明の効果】
【０００８】
本発明のヒンジキャップにおいては、キャップ本体頂板部に注出用開口を形成する際に生じる、キャップから取り除かれた開口予定部をキャップ内に収納することができ、ごみ箱がない場所で注出用開口を形成した場合にも、取り除かれた開口予定部を別途持っている必要がなく、取り除かれた開口予定部の不当な廃棄を防止することが可能となる。
また本発明のヒンジキャップにおいては、ヒンジキャップであることから再使用時にワンタッチで開蓋することができ、しかも上蓋が容器口部から離脱しないので、キャップを紛失してリシールできなくなったりすることがないという利点もある。
また、容器口部に固定されるキャップ本体を、キャップ固定部、中栓及び／又は外周壁の組み合わせとすることにより、これらを異なる素材で形成することもできるため、耐熱性や機械的強度と密封性を兼ね備えたキャップを提供することが可能となる。
【発明を実施するための最良の形態】
【０００９】
本発明のヒンジキャップを添付図面に沿って詳細に説明する
図１は、本発明のヒンジキャップの一例を容器口部に固定した閉蓋状態の側断面図であり、図２は、図１に示すヒンジキャップの側面図であり、図３は、図１に示すヒンジキャップの上面図であり、図４は、図１に示すヒンジキャップの開蓋状態における平面図であり、図５は、図１に示すヒンジキャップの開蓋状態における底面図であり、図６は、図１に示すヒンジキャップにおいて、注出用開口を形成し、離脱した開口予定部を上蓋に収納した状態における閉蓋状態の側断面図であり、図７は、図１に示すヒンジキャップにおいて、注出用開口を形成し、離脱した開口予定部を上蓋に収納した状態における開蓋状態の側断面図である。
【００１０】
図１乃至図７に示す本発明のヒンジキャップ１は、概略的に言って、容器口部２に螺着されるキャップ本体７と容器口部を覆う上蓋６とからなり、キャップ本体７は、容器口部に螺着されるキャップ固定部３、及びキャップ固定部３のスカート部３２を外側から覆うように位置する外周壁４、容器口部２の先端及びキャップ固定部頂板部内面の間に位置する中栓５から成る３ピースタイプの複合ヒンジキャップである。
尚、この態様において、キャップ本体７のスカート部は、キャップ固定部３のスカート部３２と外周壁の側壁部４１から成り、キャップ本体７の頂板部は、キャップ固定部３の頂板部３１、外周壁４の環状頂板部４２及び中栓５の頂板部５０から成っている。
【００１１】
キャップ固定部３は、頂板部３１及びスカート部３２から成り、頂板部３１のほぼ中央には開口３３が形成され、開口３３を取り囲むように注出用ノズル３４が形成されていると共に、スカート部３２の内面には、容器口部２に形成された螺子部２１と螺合する螺子部３５が形成されている。
またスカート部３２の下端には、弱化部３６を介してタンパーエビデントバンド３７が形成されており、タンパーエビデントバンド３７の下端内面には、容器口部２に形成された係合用突条２２と係合する係合部３８が形成されている。
キャップ固定部の頂板部３１の開口端部の近傍に、後述する中栓５の環状凹部と密着してシール部を形成するための環状突起３９が形成されている。
【００１２】
外周壁４は、概略的に言って、キャップ固定部スカート部３２を外側から覆う側壁部４１及び側壁部４１の上端から内方に延び、キャップ固定部の頂板部３１の外周縁に当接する環状頂板部４２、並びに側壁部４１とヒンジ４３で連結する上蓋６から成っている。
環状頂板部４２には、上蓋６を閉蓋状態で固定するための環状係合部４４が形成されている。
またキャップ固定部及び外周壁は、図２から明らかなように、キャップ固定部外面下部の凸部３０と外周壁下端の切り欠き４５が嵌合することによって、共回りの防止や、或いは注出用ノズルに飲み口を設けた場合の位置決めを行うことができる。
【００１３】
中栓５は、下面に容器口部２の内面と密着するインナーリング５１が形成されていると共に、キャップ固定部頂板部の開口３３に対応する位置にスコア５２で区画された開口予定部５３が形成され、開口予定部５３にはスコア５２を破断するための把持部５４が支柱５５を介して形成されている。
また中栓５の上面にはキャップ固定部の環状突起３９に対応する環状凹部５６が形成されている。かかる環状突起３９及び環状凹部５６が嵌合することにより、中栓５を上方から押圧して容器口部２と中栓５のシール性が高められ、容器使用時に内容液がキャップ固定部と中栓との間を通って外部に漏れることが防止できると共に、スコア５２を破断する際にキャップ固定部３と容器口部２の間から抜けてしまうことが予防されている。
【００１４】
上蓋６は、概略的に言って、天面６１及び天面の周縁から垂下する側壁部６２から成っている。また側壁部６２の下端には、キャップ固定部３と係合して、閉蓋時に上蓋６をキャップ固定部３に固定するための係合部６３が形成されている。
天面６１の内面には、注出用ノズル３４の内面と密着して、中栓５に形成されたスコア５２を破断し開口予定部５３を取り除いた後の液密性を確保するためのリシール用環状突起６４が形成されている。また天面６１のヒンジと相対する部分には、開蓋用突起６５が形成されている。
【００１５】
本発明においては、特に図４から明らかなように、上蓋６１の天面内面のリシール用環状突起６４の中に、保持用突条６６が形成されている。この保持用突条６６は、中栓５に形成されたスコア５２のうち、くの字型の部分５２ａ，５２ｂに対応する、くの字型の形状を有しており、図４に示したように、リシール用環状突起６４の円弧ＡＢＣの部分６４ａと共に、中栓５の開口予定部５３の外縁形状に対応する保持部を形成し、スコア５２が破断され、中栓５から取り除かれた開口予定部５３を、把持部５４及び支柱５５が注出用開口側になるように、保持部内に嵌め込むことが可能となる。
図８に示すように、キャップから取り除かれた開口予定部５３の外周縁が保持用突条６６及びリシール用環状突起６４ａの内周面と圧接することにより、保持部内に保持されることもできるし、また図９に示すように、保持用突条６６及びリシール用環状突起６４ａの内周面に固定用突起６７が形成され、かかる固定用突起６７で取り除かれた開口予定部５３の外周縁を保持してもよい。
【００１６】
本発明のヒンジキャップにおいて、上蓋天面の内面側に形成される保持部は、開口予定部の外縁形状に対応していることが重要であり、開口予定部の外縁形状に合わせて種々変更されることはいうまでもない。
すなわち、図１乃至図７に示したように、開口予定部が、リシール用環状突起の円弧と一致する部分を有する場合は、リシール用環状突起を保持部の一部として用いることができるが、開口予定部が、リシール用環状突起よりもかなり小さい場合等には、リシール用環状突起を利用することなく、保持用突条のみで開口予定部に対応した形状を形成することにより保持部を形成できる。
また保持部は開口予定部の外縁形状と完全に一致していることが、取り外された開口予定部を上蓋内に確実に収納する上で好ましいが、上述した図９に示すように、保持用突条に固定用突起を形成する場合等では、開口予定部の外縁を複数箇所で保持することによっても、取り外された開口予定部を上蓋内に収納することが可能となるため、必ずしも完全に一致した形状でなくてもよい。
【００１７】
本発明のヒンジキャップにおいては、図１乃至図７に示した３ピース構造のキャップの他、上蓋の天面内面側に保持部が形成されている限り、２ピース構造のヒンジキャップやワンピース構造のヒンジキャップであってもよい。
図１０に示す２ピース構造のヒンジキャップは、概略的に言って、上蓋７１がヒンジ７３で連結されたキャップ固定部７０及び中栓７２から成る２ピース構造のものであり、図１乃至図７に示した３ピース構造におけるキャップ固定部及び外周壁が一体的に成形されている以外は、構造はほぼ同じである。
尚、この態様においては、キャップ固定部７０のスカート部７０ａがキャップ本体スカート部を構成し、キャップ固定部７０の頂板部７０ｂ及び中栓７２の頂板部７２ａがキャップ本体頂板部を構成する。
【００１８】
また図１１に示す２ピース構造のヒンジキャップは、概略的に言って、キャップ固定部８０、及び上蓋８２がヒンジ８３で連結された外周壁８１から成る２ピース構造ものであり、図１乃至図７に示した３ピース構造におけるキャップ固定部と中栓が一体的に成形されている以外は、構造はほぼ同じである。
尚、この対応においては、キャップ固定部８０のスカート部８０ａ及び外周壁８１の側壁部８１ａがキャップ本体のスカート部を構成し、キャップ固定部８０の頂板部８０ｂ及び外周壁８１の環状頂板部８１ｂがキャップ本体頂板部を構成する。
また図示していないが、図１乃至図７に示す３ピース構造のすべての部材を一体的に成形して成るワンピース構造のものであっても、構造はほぼ同じである。
【００１９】
本発明のヒンジキャップを開封するには、まず把持部を上方に引き上げ、スコアを破断して注出用の開口を形成する。一旦注出用の開口が形成された後は、上蓋を持ち上げるだけでよく、ワンタッチで開閉操作を行うことができる。また上述したように、スコアを破断してキャップから取り除かれた開口予定部を、上蓋内の保持部に嵌め込むことにより、開口予定部は上蓋から脱落することなく、上蓋に固定することができ、内容物を直接口をつけて飲む場合でも上蓋及び取り付けられた開口予定部が邪魔になることもない。
また本発明のヒンジキャップは、キャップ固定部及び外周壁を有する２ピース或いは３ピース構造であっても、キャップ固定部と外周壁を位置決めすることにより、外周壁単独の回転が防止でき、外周壁を把持して開蓋方向に旋回することによりキャップ固定部下端に形成されたタンパーエビデントバンドをつなぐ弱化部を破断することができ、キャップ全体を容易に取り外すことができる。
【００２０】
本発明のヒンジキャップは、従来よりプラスチックキャップに使用されていた樹脂を用いて射出成形、圧縮成形等によって各部材を成形し、これを組み合わせることによって成形することができる。
また２ピース或いは３ピース構造の場合には、各部材を異なる樹脂で成形することができ、例えば、キャップ固定部及び外周壁を機械的強度や耐熱性の高いポリプロピレン等から形成し、中栓を密封性又はスコアの破断性に優れたポリエチレン等で形成して組み合わせることにより、機械的強度、耐熱性、密封性、或いは開封性に優れたキャップを提供することができる。
【図面の簡単な説明】
【００２１】
【図１】本発明のヒンジキャップの一例を容器口部に固定した閉蓋状態の側断面図である。
【図２】図１に示すヒンジキャップの側面図である。
【図３】図１に示すヒンジキャップの上面図である。
【図４】図１に示すヒンジキャップの開蓋状態における平面図である。
【図５】図１に示すヒンジキャップの開蓋状態における底面図である。
【図６】図１に示すヒンジキャップにおいて、注出用開口を形成し、離脱した開口予定部を上蓋に収納した状態における閉蓋状態の側断面図である。
【図７】図１に示すヒンジキャップにおいて、注出用開口を形成し、離脱した開口予定部を上蓋に収納した状態における開蓋状態の側断面図である。
【図８】保持部を説明するための図である。
【図９】保持部の他の態様を説明するための図である。
【図１０】本発明の２ピース構造のヒンジキャップの一例を示す図である側断面図である。
【図１１】本発明の２ピース構造のヒンジキャップの他の一例を示す図である側断面図である。
【符号の説明】
【００２２】
１  ヒンジキャップ、２  容器口部、３  キャップ固定部、４  外周壁、５  中栓、
６  上蓋、３１  キャップ固定部頂板部、３２  キャップ固定部スカート部、
３３  開口、３４  注出用ノズル、３５  螺子部、  ３６  弱化部、
３７  タンパーエビデントバンド、３８  係合部、３９  環状突起、
４１  側壁部、４２  環状頂板部、４３  ヒンジ部、４４  環状係合部、
５１  インナーリング、５２  スコア、５３  開口予定部、５４  把持部、
５５  支柱、  ５６  環状凹部、６１  上蓋天面、６２  上蓋側壁部、
６３  係合部、  ６４  リシール用突起、６５  開蓋用突起、６６  保持用突条、
６７  固定用突起。
【図１】
0004727453.tif 000002
【図２】
0004727453.tif 000003
【図３】
0004727453.tif 000004
【図４】
0004727453.tif 000005
【図５】
0004727453.tif 000006
【図６】
0004727453.tif 000007
【図７】
0004727453.tif 000008
【図８】
0004727453.tif 000009
【図９】
0004727453.tif 000010
【図１０】
0004727453.tif 000011
【図１１】
0004727453.tif 000012